(57)【要約】【課題】バスト垂下や腹部の膨出（ポッコリお腹）の回復に有効な、筋膜リリース補助具を提供する。【解決手段】使用者の手の示指２および小指５を、中指３および薬指４に対して手の甲側で相互に接近させた状態に保持する第１拘束部３１と、示指２および母指１を相互に接近させた状態に保持する第２拘束部３２と、を備えた筋膜リリース補助具とする。第１拘束部３１および第２拘束部３２により、母指１、示指２および小指５を反らせながら接近させた状態に保持することで、使用者の腕線の前面を走る浅前腕線と深前腕線、および腕線の背面を走る浅後腕線と深後腕線が刺激される。腕線の前面および背面の浅腕線と深腕線への刺激は、首の後ろから肩甲骨に広がる僧帽筋に伝達され、その場所を刺激する。この刺激によって筋膜リリースが持続的に行われる。【選択図】図１
2018015069.tif 000002
【特許請求の範囲】
【請求項１】
使用者の手の示指および小指を、中指および薬指に対して手の甲側で相互に接近させた状態に保持する第１拘束部と、
前記示指および母指を相互に接近させた状態に保持する第２拘束部と、を備えた、
筋膜リリース補助具。
【請求項２】
前記中指および前記薬指を相互に接近させた状態に保持する第３拘束部をさらに備えた、
請求項１に記載の筋膜リリース補助具。
【請求項３】
前記第１拘束部は、
前記示指を保持する示指保持部と、
前記小指を保持するとともに、前記示指保持部に接続されている小指保持部と、を有し、
前記第２拘束部は、
前記示指保持部と、
前記母指１を保持するとともに、前記示指保持部に接続されている母指保持部と、を有する、
請求項１または請求項２に記載の筋膜リリース補助具。
【請求項４】
前記第３拘束部は、
前記中指および前記薬指を共通の穴部に挿入させることにより、前記中指および前記薬指を相互に接近させた状態に保持する中指薬指保持部を有する、
請求項１から請求項３のいずれか１項に記載の筋膜リリース補助具。
【請求項５】
前記第１拘束部および前記第２拘束部は、手の平側の伸縮性を手の甲側の伸縮性よりも高くしている、
請求項１から請求項４のいずれか１項に記載の筋膜リリース補助具。
【請求項６】
使用者の右手に装着する右手用補助具、および使用者の左手に装着する左手用補助具を備え、前記右手用補助具および前記左手用補助具は、それぞれ、
主に手の甲を被覆する第１被覆部と、
主に手の平を被覆する第２被覆部と、
前記第１被覆部および前記第２被覆部で構成され、手を収容する収容部と、
前記収容部に手を挿入するための開口部と、を有する、
請求項１から請求項５のいずれか１項に記載の筋膜リリース補助具。
【発明の詳細な説明】
【技術分野】
【０００１】
本発明は、人体の筋膜の調整（筋膜リリース）を促す、筋膜リリース補助具に関する。
【背景技術】
【０００２】
人体には、全身に筋膜が張りめぐらされている。筋膜は、人体の個々の筋肉や筋群、臓器、腺などを包む弾性繊維をもった膜である。例えば、額から背面までは一枚の筋膜で覆われており、前面は顔から下の筋膜がぶら下がっている状態である。筋膜は、悪い姿勢や偏った動作を長時間続けた場合に弛みや縮み、あるいはねじれを生じ、筋膜がこのような状態になることによって筋肉バランスが悪化する。
【０００３】
現代社会ではデスクワーク、パソコン作業、携帯電話の操作など、前屈みの姿勢や、偏った動作を長時間続ける生活を送ることが多い。前屈みの姿勢によって身体前面の筋膜が大きく弛み、筋肉バランスが崩れる。すると、さらに姿勢が悪くなり、それに従い呼吸も浅くなる。そして最終的には、バスト垂下や腹部の膨出（ポッコリお腹）を引き起こすことがある。
【０００４】
近年、筋膜の弛みや縮み、ねじれを解放することによって筋肉バランスを回復させる療法として、筋膜リリースが注目されている。筋膜リリースは、筋膜の弛みや縮み、ねじれを持続的なやさしいストレッチで解放する療法である。筋膜リリースは、筋膜のつながりを考慮しつつ、時間を掛けて持続的に行うことが有効である。
【先行技術文献】
【特許文献】
【０００５】
【非特許文献１】トーマス・Ｗ・マイヤース（Ｔｈｏｍａｓ  Ｗ．Ｍｙｅｒｓ）著、板場英行／石井慎一郎訳、「アナトミー・トレイン  徒手運動療法のための筋筋膜経線」、第３版、株式会社医学書院、２０１６年５月
【発明の概要】
【発明が解決しようとする課題】
【０００６】
本願の発明者は、バスト垂下や腹部の膨出（ポッコリお腹）を回復させる療法について鋭意検討した結果、手指に刺激を与えることで人体の前面および背面の筋膜に対して筋膜リリースを行うことが有効であるとの知見を得た。
【０００７】
また、筋膜リリースは、時間を掛けて持続的に行うことが有効であるため、本願の発明者は、手技等による一時的な筋膜リリースではなく、持続的な筋膜リリースを行う手段について鋭意検討した。その結果、本願の発明者は、筋膜リリースを促すような補助具を使用者が装着することにより、持続的な筋膜リリースが可能になるとの知見を得た。
【０００８】
本発明は、バスト垂下や腹部の膨出（ポッコリお腹）の回復に有効な、筋膜リリース補助具を提供することを目的とする。
【課題を解決するための手段】
【０００９】
本発明の筋膜リリース補助具は、使用者の手の示指および小指を、中指および薬指に対して手の甲側で相互に接近させた状態に保持する第１拘束部と、示指および母指を相互に接近させた状態に保持する第２拘束部と、を備える。
【発明の効果】
【００１０】
本発明の筋膜リリース補助具によれば、使用者が手に筋膜リリース補助具を装着することにより、第１拘束部および第２拘束部が使用者の母指、示指および小指を反らせながら接近させた状態に保持する。これにより、使用者の腕線の前面を走る浅前腕線と深前腕線、および腕線の背面を走る浅後腕線と深後腕線が刺激される。腕線の前面および背面の浅腕線と深腕線への刺激は、首の後ろから肩甲骨に広がる僧帽筋に伝達され、その場所を刺激する。この刺激によって筋膜リリースが持続的に行われ、使用者の前面の筋膜は大きな弛みが解消され、背面の筋膜は、引っ張られていた状態から元の位置戻る。このため、自然に姿勢が良くなり、バスト垂下が解消されるとともにバストアップにもつながる。さらに、姿勢が良くなると胸部が開くため、深い呼吸が得られ、それと共に腹部の膨出も抑制される。
【図面の簡単な説明】
【００１１】
【図１】図１は、本発明の実施形態に係る筋膜リリース補助具の右手用補助具を使用者の右手に装着し、使用者の手の甲側から見た状態を示す斜視図である。
【図２】図２は、右手用補助具を使用者の右手に装着し、使用者の手の平側から見た状態を示す斜視図である。
【図３】図３は、右手用補助具の正面図（手の甲側）である。
【図４】図４は、右手用補助具の背面図（手の平側）である。
【図５】図５は、右手用補助具の第１拘束部、第２拘束部および第３拘束部の上面図である。
【発明を実施するための形態】
【００１２】
本発明の一実施形態にかかる筋膜リリース補助具は、使用者の手の示指および小指を、中指および薬指に対して手の甲側で相互に接近させた状態に保持する第１拘束部と、
前記示指および母指を相互に接近させた状態に保持する第２拘束部と、を備える（第１の構成）。
【００１３】
上記構成によれば、使用者が手に筋膜リリース補助具を装着することにより、第１拘束部および第２拘束部が使用者の手の母指、示指および小指を反らせながら接近させた状態に保持する。これにより、使用者の腕線の前面を走る浅前腕線と深前腕線、および腕線の背面を走る浅後腕線と深後腕線が刺激される。腕線の前面および背面の浅腕線と深腕線への刺激は、首の後ろから肩甲骨に広がる僧帽筋に伝達され、その場所を刺激する。この刺激によって筋膜リリースが持続的に行われ、使用者の前面の筋膜は大きな弛みが解消され、背面の筋膜は、引っ張られていた状態から元の位置戻る。このため、自然に姿勢が良くなり、バスト垂下が解消されるとともにバストアップにもつながる。さらに、姿勢が良くなると胸部が開くため、深い呼吸が得られ、それと共に腹部の膨出も抑制される。
【００１４】
上記第１の構成において、前記中指および前記薬指を相互に接近させた状態に保持する第３拘束部をさらに備えてもよい（第２の構成）。
【００１５】
上記構成によれば、使用者が手に筋膜リリース補助具を装着することにより、第３拘束部が使用者の手の中指および薬指を相互に接近させた状態に保持する。これにより、使用者の手の母指、示指および小指が反りやすくなり、使用者の腕線の前面を走る浅前腕線と深前腕線、および腕線の背面を走る浅後腕線と深後腕線に対して確実に刺激を与え、この刺激による持続的な筋膜リリースが効果的に行われる。
【００１６】
上記第１又は第２のいずれかの構成において、前記第１拘束部は、
前記示指を保持する示指保持部と、
前記小指を保持するとともに、前記示指保持部に接続されている小指保持部と、を有し、
前記第２拘束部は、
前記示指保持部と、
前記母指１を保持するとともに、前記示指保持部に接続されている母指保持部と、を有してもよい（第３の構成）。
【００１７】
上記構成によれば、使用者が手に筋膜リリース補助具を装着することにより、第１拘束部および第２拘束部を構成する示指保持部、小指保持部および母指保持部によって使用者の手の示指、小指および母指が確実に保持される。このため、使用者の腕線の前面を走る浅前腕線と深前腕線、および腕線の背面を走る浅後腕線と深後腕線に対して確実に刺激を与えることができ、この刺激によって持続的な筋膜リリースが効果的に行われる。
【００１８】
上記第１から第３のいずれかの構成において、前記第３拘束部は、
前記中指および前記薬指を共通の穴部に挿入させることにより、前記中指および前記薬指を相互に接近させた状態に保持する中指薬指保持部を有してもよい（第４の構成）。
【００１９】
上記構成によれば、使用者が手に筋膜リリース補助具を装着することにより、第３拘束部を構成する中指薬指保持部が使用者の手の中指および薬指を相互に接近させた状態に保持する。これにより、使用者の手の母指、示指および小指が反りやすくなり、使用者の腕線の前面を走る浅前腕線と深前腕線、および腕線の背面を走る浅後腕線と深後腕線に確実に刺激を与え、この刺激による持続的な筋膜リリースが効果的に行われる。
【００２０】
上記第１から第４のいずれかの構成において、前記第１拘束部および前記第２拘束部は、手の平側の伸縮性を手の甲側の伸縮性よりも高くしてもよい（第５の構成）。
【００２１】
上記構成によれば、手の平側の伸縮性を手の甲側の伸縮性よりも高くしているため、使用者が手に筋膜リリース補助具を装着した状態で、使用者の母指、示指および小指が反りやすくなる。このため、使用者の腕線の前面を走る浅前腕線と深前腕線、および腕線の背面を走る浅後腕線と深後腕線に確実に刺激を与え、この刺激による持続的な筋膜リリースが効果的に行われる。
【００２２】
上記第１から第５のいずれかの構成において、使用者の右手に装着する右手用補助具、および使用者の左手に装着する左手用補助具を備え、前記右手用補助具および前記左手用補助具は、それぞれ、
主に手の甲を被覆する第１被覆部と、
主に手の平を被覆する第２被覆部と、
前記第１被覆部および前記第２被覆部で構成され、手を収容する収容部と、
前記収容部に手を挿入するための開口部と、を有してもよい（第６の構成）。
【００２３】
上記構成によれば、使用者が左右の手にそれぞれ右手用補助具および左手用補助具を装着することにより、身体の左右のバランスが取れた持続的な筋膜リリースを行うことが可能である。また、右手用補助具および左手用補助具は、それぞれ第１被覆部および第２被覆部を備えているため、母指、示指および小指を反らせる第１拘束部および第２拘束部を第１被覆部および第２被覆部で支持することができる。このため、使用者の腕線の前面を走る浅前腕線と深前腕線、および腕線の背面を走る浅後腕線と深後腕線に確実に刺激を与え、この刺激による持続的な筋膜リリースが効果的に行われる。
【００２４】
［実施形態］
以下、図面を参照し、本発明の実施形態に係る筋膜リリース補助具１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２５】
［全体構成］
まず、筋膜リリース補助具１００の全体構成について説明する。図１は、本発明の実施形態に係る筋膜リリース補助具１００を使用者の右手ＲＨに装着し、手の甲側から見た状態を示す斜視図である。図２は、筋膜リリース補助具１００を使用者の右手ＲＨに装着し、手の平側から見た状態を示す斜視図である。本実施形態の筋膜リリース補助具１００は、右手用補助具１００Ｒおよび左手用補助具１００Ｌ（図示せず）で構成されている。右手用補助具１００Ｒは使用者の右手ＲＨに装着して使用され、左手用補助具１００Ｌは使用者の左手に装着して使用される。図１および図２では、使用者が右手用補助具１００Ｒを右手ＲＨに装着した状態を示している。
【００２６】
右手用補助具１００Ｒおよび左手用補助具１００Ｌは、それぞれ手袋状の形態を有している。右手用補助具１００Ｒおよび左手用補助具１００Ｌは、それぞれ伸縮性を有する編地で構成されている。右手用補助具１００Ｒおよび左手用補助具１００Ｌは、形態は左右対称であり、構成は共通している。以下の説明では、主に右手用補助具１００Ｒについて詳細に説明し、左手用補助具１００Ｌの詳細な説明については省略する。なお、以下の図では、矢印Ｒは右手用補助具１００Ｒ１００の右方向を示し、矢印Ｌは左方向を示す。矢印Ｕは上方向を示し、矢印Ｄは下方向を示す。矢印Ｆは前方向、矢印Ｂは後方向を示す。
【００２７】
図１に示すように、筋膜リリース補助具１００（右手用補助具１００Ｒ）は、第１被覆部２１、第２被覆部２２（図２参照）、第１拘束部３１、第２拘束部３２、および第３拘束部３３を有している。第１被覆部２１と、第１拘束部３１、第２拘束部３２、および第３拘束部３３のそれぞれの手の甲側の部分は、第１構成体１１で構成されている。第２被覆部２２と、第１拘束部３１、第２拘束部３２、および第３拘束部３３のそれぞれの手の平側の部分は、第２構成体１２（図２参照）で構成されている。第１構成体１１および第２構成体１２の周縁部を縫着することにより、第１被覆部２１、第２被覆部２２、第１拘束部３１、第２拘束部３２、および第３拘束部３３が形成されている。
【００２８】
第１被覆部２１は、右手用補助具１００Ｒを使用者の右手ＲＨに装着した状態で、主に使用者の右手ＲＨの手の甲を被覆する部分である。第２被覆部２２（図２参照）は、右手用補助具１００Ｒを使用者の右手ＲＨに装着した状態で、主に使用者の右手ＲＨの手の平を被覆する部分である。第１被覆部２１および第２被覆部２２によって、使用者の右手ＲＨを収容する収容部１５が構成されている。右手用補助具１００Ｒの下端には、収容部１５に右手ＲＨを挿入するための開口部１７が形成されている。
【００２９】
第１拘束部３１は、右手用補助具１００Ｒを使用者の右手ＲＨに装着した状態で、使用者の右手ＲＨの示指２および小指５を保持する部分である。第１拘束部３１は、中指３および薬指４を保持する第３拘束部３３を手の甲側で跨ぐように配置されている。このため、第１拘束部３１は、示指２および小指５を、中指３および薬指４に対して手の甲側に配置させている。また、第１拘束部３１は、示指２および小指５を手の甲側に反らせながら相互に接近させた状態に保持している。
【００３０】
第２拘束部３２は、右手用補助具１００Ｒを使用者の右手ＲＨに装着した状態で、使用者の右手ＲＨの示指２および母指１を保持する部分である。第２拘束部３２は、示指２および母指１を相互に接近させた状態に保持している。
【００３１】
第３拘束部３３は、右手用補助具１００Ｒを使用者の右手ＲＨに装着した状態で、使用者の右手ＲＨの中指３および薬指４を保持する部分である。第３拘束部３３の手の甲側には、第１拘束部３１が跨ぐように配置されている。このため、第３拘束部３３は、第１拘束部３１に対して手の平側に配置されている。これにより、第３拘束部３３は、中指３および薬指４を、示指２および小指５に対して手の平側に配置させることとなる。また、第３拘束部３３は、中指３および薬指４を相互に接近させた状態で保持している。
【００３２】
図２は、図１の状態の使用者の右手ＲＨを手の平側から見た図である。図２に示すように、第３拘束部３３は、右手用補助具１００Ｒを使用者の右手ＲＨに装着した状態で、使用者の右手ＲＨの中指３および薬指４を保持している。第３拘束部３３は、第１拘束部３１に対して手の平側に配置されている。このため、第３拘束部３３は、中指３および薬指４を、示指２および小指５に対して手の平側に配置させている。また、第３拘束部３３は、中指３および薬指４を相互に接近させた状態で保持している。
【００３３】
次に、筋膜リリース補助具１００（右手用補助具１００Ｒ）の構成について詳細に説明する。図３は、筋膜リリース補助具１００（右手用補助具１００Ｒ）の正面図（手の甲側）である。図４は、筋膜リリース補助具１００（右手用補助具１００Ｒ）の背面図（手の平側）である。図３および図４に示すように、第１被覆部２１および第２被覆部２２の周囲が縫着されることにより収容部１５が形成されている。
【００３４】
図３に示すように、第１拘束部３１は、示指保持部５２および小指保持部５５を有している。示指保持部５２は、使用者の右手ＲＨの示指２を保持する部分である。小指保持部５５は、使用者の右手ＲＨの小指５を保持する部分である。
【００３５】
示指保持部５２は、手の甲側の部分である第１示指保持部片５２１、および手の平側の部分である第２示指保持部片５２２で構成されている。第１示指保持部片５２１は、第１被覆部２１に連続しており、第２示指保持部片５２２は、第２被覆部２２（図４参照）に連続している。示指保持部５２は、第１示指保持部片５２１および第２示指保持部片５２２の周縁部が相互に縫着されることにより形成されている。示指保持部５２は、示指２を差し入れることができるように、収容部１５に連続した筒状体として形成されている。示指保持部５２の上端部は、示指２の先端を突出させるように開口部５２３が形成されている。
【００３６】
小指保持部５５は、手の甲側の部分である第１小指保持部片５５１、および手の平側の部分である第２小指保持部片５５２で構成されている。第１小指保持部片５５１は、第１被覆部２１に連続しており、第２小指保持部片５５２は、第２被覆部２２（図４参照）に連続している。小指保持部５５は、第１小指保持部片５５１および第２小指保持部片５５２の周縁部が相互に縫着されることにより形成されている。小指保持部５５は、小指５を差し入れることができるように、収容部１５に連続した筒状体として形成されている。小指保持部５５の上端部は、小指５の先端を突出させるように開口部５５３が形成されている。
【００３７】
示指保持部５２および小指保持部５５は、相互に対向する側部が第１接続部３１１で接続されている。第１接続部３１１は、例えば、示指保持部５２および小指保持部５５を縫着することによって形成されている。示指保持部５２および小指保持部５５が第１接続部３１１で接続されていることにより、右手用補助具１００Ｒを使用者の右手ＲＨに装着した状態で、使用者の右手ＲＨの示指２および小指５を相互に接近させた状態で保持することができる（図１参照）。
【００３８】
第２拘束部３２は、示指保持部５２および母指保持部５１を有している。母指保持部５１は、使用者の右手ＲＨの母指１を保持する部分である。
【００３９】
母指保持部５１は、手の甲側の部分である第１母指保持部片５１１、および手の平側の部分である第２母指保持部片５１２で構成されている。第１母指保持部片５１１は、第１被覆部２１に連続しており、第２母指保持部片５１２は、第２被覆部２２（図４参照）に連続している。母指保持部５１は、第１母指保持部片５１１および第２母指保持部片５１２の周縁部が相互に縫着されることにより形成されている。母指保持部５１は、母指１を差し入れることができるように、収容部１５に連続した筒状体として形成されている。母指保持部５１の上端部は、母指１の先端を突出させるように開口部５１３が形成されている。
【００４０】
示指保持部５２および母指保持部５１は、相互に対向する側部が第２接続部３２１で接続されている。第２接続部３２１は、例えば、示指保持部５２および母指保持部５１を縫着することによって形成されている。示指保持部５２および母指保持部５１が第２接続部３２１で接続されていることにより、右手用補助具１００Ｒを使用者の右手ＲＨに装着した状態で、使用者の右手ＲＨの示指２および母指１を相互に接近させた状態で保持することができる（図１参照）。
【００４１】
図３および図４に示すように、第３拘束部３３は、中指薬指保持部５３を有している。中指薬指保持部５３は、中指３および薬指４を共通の穴部５４（図５参照）に挿入させることにより、中指３および薬指４を相互に接近させた状態に保持する部分である。
【００４２】
中指薬指保持部５３は、手の甲側の部分である第１中指薬指保持部片５３１、および手の平側の部分である第２中指薬指保持部片５３２で構成されている。第１中指薬指保持部片５３１は、第１被覆部２１に連続しており、第２中指薬指保持部片５３２は、第２被覆部２２に連続している。中指薬指保持部５３は、第１中指薬指保持部片５３１および第２中指薬指保持部片５３２の周縁部が相互に縫着されることにより形成されている。中指薬指保持部５３は、中指３および薬指４を差し入れる共通の穴部５４（図５参照）が形成されるように、収容部１５に連続した筒状体として形成されている。中指薬指保持部５３の上端部は、中指３および薬指４の先端を突出させるように開口部５３３が形成されている。中指薬指保持部５３は、中指３および薬指４を差し入れる穴部５４が形成されているため、右手用補助具１００Ｒを使用者の右手ＲＨに装着した状態で、使用者の右手ＲＨの中指３および薬指４を相互に接近させた状態で保持することができる（図２参照）。
【００４３】
ここで、筋膜リリース補助具１００（右手用補助具１００Ｒ）を構成する素材について説明する。筋膜リリース補助具１００（右手用補助具１００Ｒ）を構成する第１構成体１１および第２構成体１２は、それぞれ伸縮性を有する素材で構成されている。そして、手の平側に配置される第２構成体１２は、手の甲側に配置される第１構成体１１よりも伸縮性の高い素材で構成されている。第１構成体１１および第２構成体１２の伸縮性の差異は、図３の矢印Ａで示したように、筋膜リリース補助具１００（右手用補助具１００Ｒ）の上下方向にあればよく、左右方向の伸縮性の差異については限定されない。
【００４４】
第１構成体１１および第２構成体１２を構成する伸縮性を有する素材は、特に限定されないが、伸縮性を有する繊維で組成された生地や編地、あるいは伸縮性を有するように組成された生地や編地を用いることができる。
【００４５】
また、第１構成体１１および第２構成体１２の全領域において伸縮性に差異を持たせなくてもよく、部分的に伸縮性に差異を持たせるようにしてもよい。その場合、第１拘束部３１、第２拘束部３２、および第３拘束部３３について、手の甲側と手の平側とで伸縮性に差異を持たせることが好ましい。部分的に伸縮性に差異を持たせる手段として、例えば、生地や編地に別の部材を取り付けて部分的に伸縮性に差異を持たせてもよい。さらに、伸縮性に方向性を有する生地や編地を用い、生地や編地を用いる向きを変えることによって第１被覆部２１および第２被覆部２２の上下方向の伸縮性の差異を持たせてもよい。また、本実施形態では、第１構成体１１および第２構成体１２の２つの部材によって筋膜リリース補助具１００（右手用補助具１００Ｒ）を構成したが、複数の部材を組み合わせてそれぞれ第１構成体１１および第２構成体１２を構成し、第１構成体１１および第２構成体１２の伸縮性に差異を持たせてもよい。
【００４６】
図５は、筋膜リリース補助具１００（右手用補助具１００Ｒ）の第１拘束部３１、第２拘束部３２および第３拘束部３３の上面図である。図５に示すように、第１拘束部３１を構成する示指保持部５２および小指保持部５５、示指保持部５２とともに第２拘束部３２を構成する母指保持部５１、および第３拘束部３３を構成する中指薬指保持部５３は、それぞれ筒状の形状を有している。
【００４７】
第１拘束部３１を構成する示指保持部５２および小指保持部５５は、第１接続部３１１で接続されており、第２拘束部３２を構成する示指保持部５２および母指保持部５１は、第２接続部３２１で接続されている。第３拘束部３３を構成する中指薬指保持部５３は、第１拘束部３１および第２拘束部３２には接続されていない。このため、第３拘束部３３は、第１拘束部３１および第２拘束部３２に対して動かすことが可能である。
【００４８】
［筋膜リリース補助具１００の使用］
次に、図１および図２を再び参照しながら、筋膜リリース補助具１００を使用する場合について説明する。図１および図２に示すように、使用者が筋膜リリース補助具１００の右手用補助具１００Ｒを使用者の右手ＲＨに装着した状態では、第１拘束部３１は、示指２および小指５を、中指３および薬指４に対して手の甲側に配置させている。また、第１拘束部３１は、示指２および小指５を手の甲側に反らせながら相互に接近させた状態に保持している。また、第２拘束部３２は、示指２および母指１を相互に接近させた状態に保持している。第３拘束部３３は、中指３および薬指４を相互に接近させた状態で保持している。
【００４９】
第１拘束部３１および第２拘束部３２が使用者の母指１、示指２および小指５を反らせながら接近させた状態に保持することにより、使用者の腕線の前面を走る浅前腕線（屈筋群、内側上腕筋間中隔、大胸筋）と深前腕線（母指、球筋、橈骨の筋膜、上腕二頭筋、小胸筋、鎖骨胸筋膜）、および腕線の背面を走る浅後腕線（伸筋群、外側上腕筋間中隔、三角筋、僧帽筋）と深後腕線（小指球筋、尺骨の筋膜、上腕三頭筋、回旋筋腱板筋、菱形筋、肩甲挙筋）が刺激される。腕線の前面および背面の浅腕線と深腕線への刺激は、首の後ろから肩甲骨に広がる僧帽筋に伝達され、その場所を刺激する。この刺激によって筋膜リリースが行われ、使用者の前面の筋膜は大きな弛みが解消され、背面の筋膜は、引っ張られていた状態から元の位置戻る。このため、自然に姿勢が良くなり、バスト垂下が解消されるとともにバストアップにもつながる。さらに、姿勢が良くなると胸部が開くため、深い呼吸が得られ、それと共に腹部の膨出も抑制される。
【００５０】
［変形例］
本発明に係る筋膜リリース補助具１００は、上記説明した本実施形態に限定されない。例えば、本実施形態の筋膜リリース補助具１００は、手袋状の形態を有することとしたが、これに限定されない。例えば、筋膜リリース補助具１００を手袋状の形態にせず、第１拘束部３１、第２拘束部３２および第３拘束部３３をベルト状の部材で構成し、これを使用者の手に装着するようにしてもよい。
【００５１】
本実施形態では、筋膜リリース補助具１００の右手用補助具１００Ｒおよび左手用補助具１００Ｌをそれぞれ第１構成体１１および第２構成体１２で構成したが、これに限定されない。例えば、右手用補助具１００Ｒおよび左手用補助具１００Ｌをそれぞれ３以上の部材を組み合わせて構成するようにしてもよい。
【００５２】
本実施形態では、第３拘束部３３を設けたが、第３拘束部３３は必須ではなく、第１拘束部３１および第２拘束部３２のみを設けてもよい。
【００５３】
また、示指保持部５２および小指保持部５５を接続する第１接続部３１１と、示指保持部５２および母指保持部５１を接続する第２接続部３２１は縫着によって形成することとしたが、縫着に限定されない。例えば、ボタンやベルト等で接続するようにしてもよい。また、示指保持部５２、小指保持部５５、および母指保持部５１を必要な場合には接続を解除して自由に動かすことができるように、第１接続部３１１および第２接続部３２１を着脱可能なホック、面着ファスナなどで構成してもよい。
【００５４】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【００５５】
１００  筋膜リリース補助具
１１    第１被覆体
１２    第２被覆体
２１    第１被覆部
２２    第２被覆部
３１    第１拘束部
３２    第２拘束部
３３    第３拘束部
５１    母指保持部
５２    示指保持部
５３    中指薬指保持部
５４    穴部
【図１】
2018015069.tif 000003
【図２】
2018015069.tif 000004
【図３】
2018015069.tif 000005
【図４】
2018015069.tif 000006
【図５】
2018015069.tif 000007